(57)【要約】【課題】  アルバムファイルの内容と画像ファイルとが常に対応するようにそれらの整合性を保ち、アルバム再生の利便性を損なわないアルバム再生装置を提供することを目的とする。【解決手段】  記憶手段（２３）に記憶されているアルバムファイル内の画像ファイルアドレスと、記憶手段に記憶されている画像ファイルのアドレスと、の対応関係に整合性があるかどうかを判断する整合性判断手段（２４ｂ）と、上記整合性判断手段によって、アルバムファイル内の画像ファイルアドレスと、上記画像ファイルのアドレスと、の対応関係に整合性がないと判断された際に、整合性がとれない当該アルバムファイル内の画像ファイルアドレスを削除する削除手段（２４ｄ）とを具備したアルバム再生装置である。【選択図】    図１
2006101232.tif 000002
【特許請求の範囲】
【請求項１】
アルバムファイルに基づいて画像ファイルを再生するアルバム再生装置において、
記憶手段に記憶されているアルバムファイル内の画像ファイルアドレスと、記憶手段に記憶されている画像ファイルのアドレスと、の対応関係に整合性があるかどうかを判断する整合性判断手段と、
上記整合性判断手段によって、アルバムファイル内の画像ファイルアドレスと、上記画像ファイルのアドレスと、の対応関係に整合性がないと判断された際に、整合性がとれない当該アルバムファイル内の画像ファイルアドレスを削除する削除手段と、
を具備したことを特徴とするアルバム再生装置。
【請求項２】
上記整合性判断手段によって、アルバムファイル内の画像ファイルアドレスと、上記画像ファイルのアドレスと、の対応関係に整合性がないと判断された際に、整合性がとれない当該アルバムファイル内の画像ファイルアドレスを削除するか、当該整合性がとれない画像ファイルのアドレスが記載された検索ファイルを作成するかを表示して選択させる選択表示手段を更に有し、
上記削除手段は、整合性がとれない当該アルバムファイル内の画像ファイルアドレスを削除することが選択された際に当該画像ファイルアドレスを削除することを特徴とする請求項１記載のアルバム再生装置。
【請求項３】
アルバムファイルに基づいて画像ファイルを再生するアルバム再生装置において、
画像ファイルを記憶する記憶手段と、上記記憶手段から選択された面像ファイルのアドレスをアルバムファイルに登録してアルバムファイルを作成するとともに上記記憶手段に記憶させるアルバム作成手段と、
上記記憶手段に記憶されているアルバムファイル内の画像ファイルアドレスと、上記記憶手段に記憶されている画像ファイルのアドレスと、の対応関係に整合性があるかどうかを判断する整合性判断手段と、
上記整合性判断手段によって、アルバムファイル内の画偉ファイルアドレスと、上記画像ファイルのアドレスと、の対応関係に整合性がないと判断された除に、当該整合性がとれない画像ファイルのアドレスが記載された検索ファイルを作成する検索ファイル作成手段と、
を具備したことを特徴とするアルバム再生装置。
【請求項４】
検索ファイルを上記外部装置に送信する送信手段と、
上記外部装置による検索結果を受信する手段と、
検索の結果、上記外部装置に該当する画像ファイルがない場合に、整合性がとれない当該アルバムファイル内の画像ファイルアドレスを削除する削除手段と、
を更に有していることを特徴とする請求項３記載のアルバム再生装置。
【発明の詳細な説明】
【技術分野】
【０００１】
本発明は、アルバムファイルに基づいて画像ファイルを再生するアルバム再生装置に関し、特に、アルバムファイルに記憶されている画像ファイルアドレスに基づいて、画像ファイルを再生するアルバム再生装置に関する。
【背景技術】
【０００２】
カメラ等の画像記録・再生装置で記録した画像を、ＰＣ等に転送して管理する技術として、特許文献１の技術が知られている。
【０００３】
この文献には、ＰＣ等に画像を転送した後、再びＰＣ等に同一画像を転送することを防止すると共に、いまだＰＣ等に転送されていない画像の選択操作を簡便化する技術が開示されている。
【特許文献１】特開２００１−６９２９６号公報
【発明の開示】
【発明が解決しようとする課題】
【０００４】
ところで、カメラにはアルバムファイルを使用して同じ記録媒体に含まれるファイルをグループ化して再生するアルバム機能が設けられているが、カメラからＰＣに画像を転送した後は、その転送した画像をアルバムで再生することができない。アルバムで再生しようとしても、アルバム再生時において「この画像はありません」というエラーメッセージが何度も表示され、アルバム再生の利便性が損なわれる。
【０００５】
また、転送したときでも画像を常にカメラに残しておくとすると、カメラ内の記憶媒体の容量の制約から、撮影が続行できなくなる恐れがある。そこで、転送時にはカメラから画像を削除して記憶媒体が満杯になるのを防止しつつ、その画像を再生したい場合には、転送先のＰＣから転送した画像を取り出してアルバムで再生することが考えられる。
【０００６】
しかしながら、特許文献１に記載された技術には、ＰＣに転送した画像をアルバムとの対応で特定する仕組み、及びＰＣに転送した画像を容易に取り出してアルバムで再生するための仕組みについての記載はない。
【０００７】
又、アルバムファイルに管理されている内容と、メモリに記憶されている画像ファイルとが一致していないと、アルバム再生時にやはり「この画像はありません」等のエラー表示がなされ、アルバムの利便性が損なわれる。
【０００８】
本発明は、係る事情に鑑みてなされたものであって、アルバムファイルの内容と画像ファイルとが常に対応するようにそれらの整合性を保ち、アルバム再生の利便性を損なわないアルバム再生装置を提供することを目的とする。
【課題を解決するための手段】
【０００９】
上記課題を解決するための、本発明に係る請求項１に記載のアルバム再生装置は、アルバムファイルに基づいて画像ファイルを再生するアルバム再生装置において、記憶手段に記憶されているアルバムファイル内の画像ファイルアドレスと、記憶手段に記憶されている画像ファイルのアドレスと、の対応関係に整合性があるかどうかを判断する整合性判断手段と、上記整合性判断手段によって、アルバムファイル内の画像ファイルアドレスと、上記画像ファイルのアドレスと、の対応関係に整合性がないと判断された際に、整合性がとれない当該アルバムファイル内の画像ファイルアドレスを削除する削除手段と、を具備した。
【００１０】
また本発明に係る請求項２に記載のアルバム再生装置は、上記記載の発明であるアルバム再生装置において、上記整合性判断手段によって、アルバムファイル内の画像ファイルアドレスと、上記画像ファイルのアドレスと、の対応関係に整合性がないと判断された際に、整合性がとれない当該アルバムファイル内の画像ファイルアドレスを削除するか、当該整合性がとれない画像ファイルのアドレスが記載された検索ファイルを作成するかを表示して選択させる選択表示手段を更に有し、上記削除手段は、整合性がとれない当該アルバムファイル内の画像ファイルアドレスを削除することが選択された際に当該画像ファイルアドレスを削除する。
【００１１】
また本発明に係る請求項３に記載のアルバム再生装置は、アルバムファイルに基づいて画像ファイルを再生するアルバム再生装置において、画像ファイルを記憶する記憶手段と、上記記憶手段から選択された面像ファイルのアドレスをアルバムファイルに登録してアルバムファイルを作成するとともに上記記憶手段に記憶させるアルバム作成手段と、上記記憶手段に記憶されているアルバムファイル内の画像ファイルアドレスと、上記記憶手段に記憶されている画像ファイルのアドレスと、の対応関係に整合性があるかどうかを判断する整合性判断手段と、上記整合性判断手段によって、アルバムファイル内の画偉ファイルアドレスと、上記画像ファイルのアドレスと、の対応関係に整合性がないと判断された除に、当該整合性がとれない画像ファイルのアドレスが記載された検索ファイルを作成する検索ファイル作成手段と、を具備した。
【００１２】
また本発明に係る請求項４に記載のアルバム再生装置は、上記記載の発明であるアルバム再生装置において、検索ファイルを上記外部装置に送信する送信手段と、上記外部装置による検索結果を受信する手段と、検索の結果、上記外部装置に該当する画像ファイルがない場合に、整合性がとれない当該アルバムファイル内の画像ファイルアドレスを削除する削除手段と、を更に有している。
【発明の効果】
【００１３】
本発明のアルバム再生技術によれば、アルバムファイル内の画像ファイルアドレスと、画像ファイルのアドレスとの整合性を常に保つことができるので、アルバム再生の利便性を損なわないアルバムが提供できる。
【発明を実施するための最良の形態】
【００１４】
〔第１の実施の形態〕
図１は、本発明に係る第１の実施の形態のアルバム再生装置を用いたアルバム再生システムの構成を示す図である。
【００１５】
アルバム再生システムは、ＰＣ１、アルバム再生装置であるカメラ２及びそれらを接続する通信ライン３で構成されている。ここで、ＰＣ１は、画像を記憶・管理する情報処理端末であり、カメラ２は、画像を記録し再生する機能を備えたアルバム再生装置である。
【００１６】
ＰＣ１は、通信部１０、画像ＤＢ１１、画像処理部１２、及びコントロール部１３で構成されている。
【００１７】
通信部１０は、カメラ２との間で各種情報交換を行うためのインターフェースである。画像ＤＢ１１は、カメラ２から受取った画像データ等を記憶する。画像処理部１２は、カメラ２からの要求に応じて画像データ等を検索して抽出する。コントロール部１３は、上述の各部の動作を統括的に制御する。
【００１８】
カメラ２は、通信部２０、撮像部２１、コントロール部２２、画像ＤＢ２３、画像処理部２４、表示部２５、及び操作部２６で構成されている。
【００１９】
通信部２０は、ＰＣ１との間で各種情報交換を行うためのインターフェースである。撮像部２１は、被写体の光像を取得して画像データに変換する。コントロール部２２は、カメラ２を統括的に制御する。画像ＤＢ２３は、着脱自在メモリで、画像ファイルの他、アルバムファイルが記憶される。画像処理部２４は、画像を記憶・管理するとともにアルバムの作成・管理・再生などを行う。表示部２５は、カメラ２内に記憶されている画像や撮影情報等を表示する。操作部２６は、ユーザからの操作指示を受け取る。
【００２０】
そして、画像処理部２４には、モード選択部２４ａ、整合性判断部２４ｂ、ファイル検索部２４ｃ及びアルバム生成部２４ｄが設けられている。モード選択部２４ａは、画像の再生モードを選択する。整合性判断部２４ｂは、アルバムファイルと画像ファイルとが対応付けられているかどうかを判断する。ファイル検索部２４ｃは、アルバムファイルや画像ファイルを検索する。アルバム生成部２４ｄは、アルバムファイルを作成し、また更新する。
【００２１】
通信ライン３は広く情報の送受信に用いられる経路のことで、導電線、光ファイバなどの有線を用いた通信に限られず、光、音波、電波などを用いた無線通信も含まれる。
【００２２】
続いて、このように構成されたアルバム再生システムにおける、カメラ２の動作について説明する。
【００２３】
まず、カメラ２において用いられるアルバムファイルについて説明する。
【００２４】
ユーザはカメラ２の表示部２５に表示されるメニューから「アルバムファイルの作成」を選択し、次に所望の画像ファイルを選択する。アルバム生成部２４ｄは、ユーザが選択した画像ファイルに基づいて新たにアルバムファイル３０を作成し、そのアルバムファイル３０にアルバム名を付与すると共に、選択された画像ファイルを画像ＤＢに記憶する。
【００２５】
図２の（１）は、アルバムファイル３０の内容を示し、図２の（２）は、アルバムファイル３０に関連する画像ファイルを示している。
【００２６】
図２の（１）に示すアルバムファイル３０には、アルバム名３０ａ、選択された画像ファイルの画像アドレス３０ｂが記載されている。アルバム名３０ａには、そのアルバムファイル３０を識別するためのユニークな値が付与される。図２では、アルバム名として「ＡＬＢＵＭ００１」が付与されている。なお「．ＭＰＶ」は、このアルバムを表す拡張子である。
【００２７】
また、画像アドレス３０ｂは、３行を１つの単位として構成されている。１行目は、開始行を示す情報とアルバム内に登録された画像の番号が記載されている。２行目には、登録された画像ファイルのアドレスを表すパス情報が記載されている。３行目には、終了行を示す情報が記載されている。
【００２８】
図２の（１）に示す画像アドレス３０ｂを参照することで、第１番目の画像は、フォルダ「ＤＣＩＭ」の下位のフォルダ「１００ＯＬ」に、「Ｐ１０１０００１」というファイル名で格納されていることがわかる。また、この画像ファイルの、拡張子がＪＰＧであることもわかる。
【００２９】
図２の（２）は、フォルダ「１００ＯＬ」の内容を示している。このフォルダには、３つの画像ファイルが格納されている。アルバムファイル３０とフォルダの内容とを対比すると、アルバムファイル３０の２番目に記載されている画像ファイル「Ｐ１０１０００２］は、フォルダ「１００ＯＬ」には存在せず、不整合が生じている。
【００３０】
以下、このような不整合が生じている場合のアルバム再生動作について説明する。
【００３１】
ユーザがカメラ２の表示部２５に表示されるメニューから「再生モード」−「アルバム再生モード」を選択すると、モード選択部２４ａが起動してアルバム一覧表を表示部２５に表示する。続いて、ユーザがそのアルバム一覧表から所望のアルバムを選択すると、図３に示すアルバム再生処理が実行される。
【００３２】
ステップＳ０１において、ファイル検索部２４ｃは、選択されたアルバムファイル３０の中の画像アドレス３０ｂを調べ、画像ファイルのパス情報を読み取る。そして、そのパス情報に基づいて画像ファイルを検索する。整合性判断部２４ｂは、検索結果によってアルバムファイル３０と画像ファイルとの間に整合性が図れているかどうかを判断する。ステップＳ０２でＹｅｓの場合、即ち、画像ファイルが存在する場合は、ステップＳ０３において、画像を表示部２５に表示する。
【００３３】
一方、ステップＳ０２でＮｏの場合、即ち、画像ファイルが存在しない場合は、その旨のメッセージを表示部２５に表示して、ユーザに「削除」、「検索」のいずれの処置をとるか、の判断を求める。「削除」は、その画像ファイルについてのパス情報をアルバムファイル３０から消去する処理であり、「検索」は、カメラ２に接続するＰＣ１を検索してその画像ファイルを得ようとする処理である。
【００３４】
ユーザが「削除」を選択したときは、ステップＳ１１において、アルバム生成部２４ｄは、アルバムファイル３０からその画像ファイルのパス情報を削除する。即ち、図２の（１）に示す、画像アドレス３０ｂを消去する。そして、ステップＳ０４において、まだ再生していない画像ファイルがある場合は、ステップＳ０１に戻り、アルバムファイル３０に登録されている次の画像ファイルの再生処理を実行する。
【００３５】
ユーザが「検索」を選択したときは、ステップＳ１５に示す検索処理（図４）を実行する。
【００３６】
図４のステップＴ０１において、アルバム生成手段２４ｄは、画像検索ファイルを生成して、この画像検索ファイルに整合性がとれない画像ファイルのアドレスパスを画像特定情報として記載する。図５は、画像検索ファイルの構成を示す図である。この画像検索ファイルには、フォルダ名（１００ＯＬ）、画像ファイル名（Ｐ１０１０００２）が記載されている。ステップＴ０２において、通信部２０が、ＰＣ１に対して画像検索ファイルを送信して、画像の検索を指示する。そしてＰＣ１からの応答があるまで待機し、ステップＴ０３において、検索結果を受け取る。
【００３７】
図６は、カメラとＰＣとの信号授受手順を示す図である。カメラ２にＵＳＢのホスト機能が備わっている場合は、標準化された手順で信号授受を行うことができる。図６は、カメラ２にＵＳＢのホスト機能が備わっていない場合の処理手順を示している。
【００３８】
図６のステップＰ０１〜Ｐ０２において、カメラ２は、画像検索ファイルを作成したというイベントが発生したことをＰＣ１に送信し、ＰＣ１は、それに対して応答する。ステップＰ０３〜Ｐ０４において、カメラ２は、画像検索ファイルを送信できる準備が整ったことをＰＣ１に送信し、ＰＣ１は、それに対して応答する。
【００３９】
ステップＰ０５〜Ｐ０６において、ＰＣ１は、画像検索ファイルに関する情報（テキストのサイズなど）を要求し、カメラ２は、当該情報をＰＣ１に送信する。ステップＰ０７〜Ｐ０８において、ＰＣ１は、画像検索ファイルの送信を要求し、カメラ２は、当該画像検索ファイルをＰＣ１に送信する。
【００４０】
ステップＰ０９において、ＰＣ１の画像処理部１２は、送信された画像検索ファイルに基づいて画像ＤＢ１１を検索する。なお、ＰＣ１では、カメラ２でのフォルダ名と画像ファイル名と同一の名前で保存していなくても、過去に当該画像ファイルを受信したときの名前と現在画像ＤＢ１１に保存している名前との対応付けがされていれば、検索することができる。
【００４１】
そして、その画像ファイルが見つかった場合は、ステップＰ１０〜Ｐ１１において、ＰＣ１は、画像ファイルに関する情報（画像ファイルのサイズなど）をカメラ２に送信し、カメラ２は、それに対して応答する。ステップＰ１２〜Ｐ１３において、ＰＣ１は、当該画像ファイルをカメラ２に送信し、カメラ２は、受信した旨をＰＣ１に通知する。
【００４２】
図４に戻り、カメラ２では、画像が見つかった場合は、ステップＴ０４において、送信された画像を表示部２５に表示してリターンする。一方、画像が見つからなかった場合は、ステップＴ０５において、アルバム生成部２４ｄは、アルバムファイル３０からその画像ファイルのパス情報を削除してリターンする。即ち、図２の（１）に示す、画像アドレス３０ｂを消去する。
【００４３】
図３に戻り、ステップＳ０４において、まだ再生していない画像ファイルがある場合は、ステップＳ０１に戻り、アルバムファイル３０に登録されている次の画像ファイルの再生処理を実行する。
【００４４】
第１の実施の形態によれば、ユーザに不整合発生時に対処方法を選択させるため、アルバム再生の利便性を損なわずに、転送した画像を転送先から容易に取り出してアルバムで再生することができる。
【００４５】
〔第１の実施の形態の変形例１〕
第１の実施の形態の変形例１では、カメラ２が送信した画像ファイル、フォルダ、ＰＣ１に関する履歴情報をアルバムファイル３０内に格納している点が、第１の実施の形態と異なっている。従って、第１の実施の形態と同一の部分には同一の符号を付してその詳細の説明を省略する。
【００４６】
変形例１では、図３のステップＳ０２において、画像ファイルが存在しなかった場合、アルバムファイル３０内の履歴情報を参照することによって、その画像ファイルを送信したＰＣ１を特定することができる。従って、そのＰＣ１が現にカメラ２に接続されているときにステップＳ１５に示す画像ファイルの検索処理を実行し、カメラ２に接続されていない場合は、表示部２５にその旨を表示して、ステップＳ１１に示す、アルバムファイルからファイルパスを削除する処理を実行する。
【００４７】
変形例１によれば、カメラ２に接続するＰＣ１が画像ファイルを保存しているか否かを判断して処理するため、効率的に処理することができる。
【００４８】
〔第１の実施の形態の変形例２〕
第１の実施の形態の変形例２では、カメラ２が送信した画像ファイル、フォルダ、ＰＣ１に関する履歴情報をアルバムファイル３０内に格納し、更に、図３に示すアルバム再生処理の最初のステップにおいて、処理方法をユーザに問い合わせる点が、第１の実施の形態と異なっている。従って、第１の実施の形態と同一の部分には同一の符号を付してその詳細の説明を省略する。
【００４９】
ユーザがカメラ２の表示部２５に表示されるメニューから「再生モード」−「アルバム再生モード」を選択すると、モード選択部２４ａが起動してアルバム一覧表を表示部２５に表示する。続いて、ユーザがそのアルバム一覧表から所望のアルバムを選択すると、図３に示すアルバム再生処理が実行される。
【００５０】
カメラ２は、アルバムファイル３０内の履歴情報を参照することによって、ＰＣ１に送信した画像ファイルがあるかどうかを調べ、また画像ファイルを送信したＰＣ１を特定する。そして、そのＰＣ１が現にカメラ２に接続されているときには、その旨のメッセージを表示部２５に表示して、ユーザに「削除」、「検索」のいずれの処置をとるか、の判断を求める。
【００５１】
そして、ユーザが「削除」を選択したときは、以降の処理において、存在しない画像ファイルについては、アルバム生成部２４ｄは、アルバムファイル３０からその画像ファイルのパス情報を削除する。一方ユーザが「検索」を選択したときは、以降の処理において、存在しない画像ファイルについて図４に示す検索処理を実行する。
【００５２】
変形例２によれば、変形例１の効果に加え、アルバムファイル単位でＰＣ１が画像ファイルを保存しているか否かを判断して一括して処理するため、更に効率的に処理することができる。
【００５３】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００５４】
更に、各機能は記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００５５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５６】
【図１】本発明に係る第１の実施の形態のアルバム再生装置を用いたアルバム再生システムの構成を示す図。
【図２】アルバムファイルの内容と関連する画像ファイルとを示す図。
【図３】アルバム再生処理の概略の手順を示すフロー図。
【図４】検索処理の概略の手順を示すフロー図。
【図５】画像検索ファイルの構成を示す図。
【図６】カメラとＰＣとの信号授受手順を示す図。
【符号の説明】
【００５７】
１…ＰＣ、２…カメラ、３…通信ライン、１０…通信部、１１…画像ＤＢ、１２…画像処理部、１４…コントロール部、２１…撮像部、２２…コントロール部、２３…画像ＤＢ、２４…画像処理部、２４ａ…モード選択部、２４ｂ…整合性判断部、２４ｃ…ファイル検索部、２４ｄ…アルバム生成部、２５…表示部、２６…操作部、３０…アルバムファイル、３０ａ…アルバム名、３０ｂ…画像アドレス。
【図１】
2006101232.tif 000003
【図２】
2006101232.tif 000004
【図３】
2006101232.tif 000005
【図４】
2006101232.tif 000006
【図５】
2006101232.tif 000007
【図６】
2006101232.tif 000008